(57)【要約】【課題】スマートフォンなどの携帯端末用のプログラムであって、周辺に位置する電子機器の利用情報を容易にユーザーに提供することのできるプログラム等を提供する。【解決手段】携帯端末装置の制御装置に、電子機器に対応した情報提供の処理を実行させるプログラムが、前記電子機器から前記電子機器の機種識別情報を含む電子機器情報を取得する取得工程と、前記取得した電子機器情報を検索情報に変換して検索サイトに送信し、当該検索サイトから返信される情報を受信する検索工程と、前記受信した情報に基づいて、前記携帯端末装置の表示部に検索結果を表示する表示工程と、を前記制御装置に実行させる。【選択図】    図２
2013149214.tif 000002
【特許請求の範囲】
【請求項１】
携帯端末装置の制御装置に、電子機器に対応した情報提供の処理を実行させるプログラムであって、
前記電子機器から前記電子機器の機種識別情報を含む電子機器情報を取得する取得工程と、
前記取得した電子機器情報を検索情報に変換して検索サイトに送信し、当該検索サイトから返信される情報を受信する検索工程と、
前記受信した情報に基づいて、前記携帯端末装置の表示部に検索結果を表示する表示工程と、を前記制御装置に実行させる
ことを特徴とするプログラム。
【請求項２】
請求項１において、
前記表示工程では、前記電子機器に対応した利用情報の検索結果を表示し、
前記検索結果から利用情報を選択する選択工程と、
前記選択された利用情報を取得する工程と、を前記制御装置にさらに実行させる
ことを特徴とするプログラム。
【請求項３】
請求項１または２において、
前記表示工程では、前記検索サイトが順位付けした検索結果の順番に従って、前記受信した情報の表示を行う
ことを特徴とするプログラム。
【請求項４】
請求項１乃至３のいずれか１項において、
前記取得工程における電子機器情報の取得は、前記電子機器との近距離無線通信によって行われる
ことを特徴とするプログラム。
【請求項５】
請求項１乃至３のいずれか１項において、
前記取得工程における電子機器情報の取得は、前記電子機器から提供されるバーコードによって行われる
ことを特徴とするプログラム。
【請求項６】
請求項１乃至４のいずれか１項において、
前記取得工程で取得される電子機器情報は、前記電子機器のステータス情報を含む
ことを特徴とするプログラム。
【請求項７】
請求項１乃至６のいずれか１項において、
前記検索工程で受信する情報は、前記電子機器に関連するアプリケーションソフトウェアの情報、及び又は、前記電子機器の関連情報が掲載される所在に関する情報を含む
ことを特徴とするプログラム。
【請求項８】
請求項１または２において、
前記表示工程では、前記携帯端末装置における使用実績に基づいた順番で前記受信した情報の表示を行う
ことを特徴とするプログラム。
【請求項９】
請求項１乃至８のいずれか１項において、
前記取得工程における電子機器情報の取得は、２以上の前記電子機器について行われる
ことを特徴とするプログラム。
【請求項１０】
制御部と無線通信部と表示部を備え、電子機器に対応した情報提供を行う携帯端末装置であって、
前記制御部は、
前記電子機器から前記電子機器の機種識別情報を含む電子機器情報を取得し、
前記取得した電子機器情報を検索情報に変換して前記無線通信部を介して検索サイトに送信し、当該検索サイトから返信される情報を前記無線通信部を介して受信し、
前記受信した情報に基づいて、前記携帯端末装置の前記表示部に検索結果を表示する
ことを特徴とする携帯端末装置。
【請求項１１】
携帯端末装置と電子機器を備える電子機器連携システムであって、
前記電子機器は、当該電子機器の機種識別情報を含む電子機器情報を備え、
前記携帯端末装置は、前記電子機器から前記電子機器の電子機器情報を取得し、前記取得した電子機器情報を検索情報に変換して検索サイトに送信し、当該検索サイトから返信される情報を受信し、前記受信した情報に基づいて、前記携帯端末装置の表示部に検索結果を表示する
ことを特徴とする電子機器連携システム。
【請求項１２】
携帯端末装置における、電子機器に関する情報提供方法であって、
前記携帯端末装置が、前記電子機器から前記電子機器の機種識別情報を含む電子機器情報を取得する取得工程と、
前記携帯端末装置が、前記取得した電子機器情報を検索情報に変換して検索サイトに送信し、当該検索サイトから返信される情報を受信する検索工程と、
前記携帯端末装置が、前記受信した情報に基づいて、前記携帯端末装置の表示部に検索結果を表示する表示工程と、を有する
ことを特徴とする情報提供方法。
【発明の詳細な説明】
【技術分野】
【０００１】
本発明は、いわゆるスマートフォンなどの携帯端末用のプログラム等に関し、特に、携帯端末から利用する電子機器に関連する情報をユーザーに提供するためのプログラム等に関する。
【背景技術】
【０００２】
インターネットを介した通信機能や各種情報処理機能を備えた多機能携帯電話としてスマートフォンが普及している。このスマートフォンの一つの大きな特徴は一種のモバイルコンピューターとしての機能を備え、アプリケーションソフトウェア（以下、アプリケーション）をインストールすることにより様々な情報処理を実行可能なことである。そして、このスマートフォン用のアプリケーションは、課金の仕組みと連動した共通の提供サイト、いわゆるマーケットやストアと称される統一のサイトから提供されている。スマートフォンのユーザーは、当該提供サイトから所望のアプリケーションをダウンロードして利用している。
【０００３】
かかるスマートフォンの今後の利用法の一つとして、プリンターなど周辺に位置する電子機器と連携することが期待される。
【０００４】
当該連携に関連して、パーソナルコンピューターなどの端末装置と周辺機器との連携に関しては、下記特許文献１に提案がなされている。当該文献には、パーソナルコンピューターが、周辺機器が接続された際に、その周辺機器に格納されている接続情報を読み出し、その接続情報に基づいてインターネット上のサーバーから周辺機器のドライバーをインストールする、ことなどが記載されている。
【０００５】
また、下記特許文献２では、携帯端末の利用に関してユーザー利便性を向上させるための提案がなされている。当該文献には、携帯電話機を取り巻く環境から判断してユーザーが選択する可能性が高いと思われる機能を、より少ない操作手順で選択し得るような位置に表示する、ことなどが記載されている。
【先行技術文献】
【特許文献】
【０００６】
【特許文献１】特開２００３−１２２５７３号公報
【特許文献２】特開２００９−３３２５６号公報
【発明の概要】
【発明が解決しようとする課題】
【０００７】
上述したスマートフォンと周辺電子機器との連携を行う場合、その電子機器用の、又は、その電子機器に関連したアプリケーションをスマートフォンにダウンロードすることが必要となるが、上述した提供サイトには既に大量の多種多様なアプリケーションが準備されており、その数は今後も増加することが予想されるため、ユーザーがその大量のアプリケーションの中から所望の電子機器用のアプリケーションを見つけ出す操作は煩雑である。
【０００８】
また、アプリケーションだけでなく、その電子機器の消耗品や使用方法に関する情報など、電子機器を利用するための情報（以下、利用情報）を広くスマートフォンから容易に取得することができればユーザーにとっては便利である。
【０００９】
しかし、上記特許文献１及び２では、これらの課題を解決することはできない。
【００１０】
スマートフォンのユーザーはその多機能性を追求することを望み、電子機器のメーカーはその機器が多彩に利用されることを望むので、電子機器の利用情報がスマートフォンから容易に提供されることが期待される。
【００１１】
そこで、本発明の目的は、スマートフォンなどの携帯端末用のプログラムであって、周辺に位置する電子機器の利用情報を容易にユーザーに提供することのできるプログラム等を提供することである。
【課題を解決するための手段】
【００１２】
上記の目的を達成するために、本発明の一つの側面は、携帯端末装置の制御装置に、電子機器に対応した情報提供の処理を実行させるプログラムが、前記電子機器から前記電子機器の機種識別情報を含む電子機器情報を取得する取得工程と、前記取得した電子機器情報を検索情報に変換して検索サイトに送信し、当該検索サイトから返信される情報を受信する検索工程と、前記受信した情報に基づいて、前記携帯端末装置の表示部に検索結果を表示する表示工程と、を前記制御装置に実行させる、ことである。
【００１３】
上記の発明において、その好ましい態様は、前記表示工程では、前記電子機器に対応した利用情報の検索結果を表示し、前記検索結果から利用情報を選択する選択工程と、前記選択された利用情報を取得する工程と、を前記制御装置にさらに実行させる、ことを特徴とする。
【００１４】
また、上記の発明において、一つの態様は、前記表示工程では、前記検索サイトが順位付けした検索結果の順番に従って、前記受信した情報の表示を行う、ことを特徴とする。
【００１５】
更に、上記の発明において、その好ましい態様は、前記取得工程における電子機器情報の取得は、前記電子機器との近距離無線通信によって行われる、ことを特徴とする。
【００１６】
また、上記の発明において、別の態様は、前記取得工程における電子機器情報の取得は、前記電子機器から提供されるバーコードによって行われる、ことを特徴とする。
【００１７】
更に、上記の発明において、好ましい態様は、前記取得工程で取得される電子機器情報は、前記電子機器のステータス情報を含む、ことを特徴とする。
【００１８】
上記の発明において、その好ましい態様は、前記検索工程で受信する情報は、前記電子機器に関連するアプリケーションソフトウェアの情報、及び又は、前記電子機器の関連情報が掲載される所在に関する情報を含む、ことを特徴とする。
【００１９】
また、上記の発明において、一つの態様は、前記表示工程では、前記携帯端末装置における使用実績に基づいた順番で前記受信した情報の表示を行う、ことを特徴とする。
【００２０】
また、上記の発明において、一つの態様は、前記取得工程における電子機器情報の取得は、２以上の前記電子機器について行われる、ことを特徴とする。
【００２１】
上記の目的を達成するために、本発明の別の側面は、制御部と無線通信部と表示部を備え、電子機器に対応した情報提供を行う携帯端末装置において、前記制御部は、前記電子機器から前記電子機器の機種識別情報を含む電子機器情報を取得し、前記取得した電子機器情報を検索情報に変換して前記無線通信部を介して検索サイトに送信し、当該検索サイトから返信される情報を前記無線通信部を介して受信し、前記受信した情報に基づいて、前記携帯端末装置の前記表示部に検索結果を表示する、ことである。
【００２２】
上記の目的を達成するために、本発明の更に別の側面は、携帯端末装置と電子機器を備える電子機器連携システムにおいて、前記電子機器は、当該電子機器の機種識別情報を含む電子機器情報を備え、前記携帯端末装置は、前記電子機器から前記電子機器の電子機器情報を取得し、前記取得した電子機器情報を検索情報に変換して検索サイトに送信し、当該検索サイトから返信される情報を受信し、前記受信した情報に基づいて、前記携帯端末装置の表示部に検索結果を表示する、ことである。
【００２３】
上記の目的を達成するために、本発明の更に別の側面は、携帯端末装置における、電子機器に関する情報提供方法が、前記携帯端末装置が、前記電子機器から前記電子機器の機種識別情報を含む電子機器情報を取得する取得工程と、前記携帯端末装置が、前記取得した電子機器情報を検索情報に変換して検索サイトに送信し、当該検索サイトから返信される情報を受信する検索工程と、前記携帯端末装置が、前記受信した情報に基づいて、前記携帯端末装置の表示部に検索結果を表示する表示工程と、を有する、ことである。
【図面の簡単な説明】
【００２４】
【図１】本発明を適用した携帯端末用プログラムを備える端末装置の実施の形態例に係る構成図である。
【図２】利用情報の提供処理の手順を例示したフローチャートである。
【図３】バーコード情報からの機種ＩＤの取得方法を例示した図である。
【発明を実施するための形態】
【００２５】
以下、図面にしたがって本発明の実施の形態について説明する。ただし、本発明の技術的範囲はこれらの実施の形態に限定されず、特許請求の範囲に記載された事項とその均等物まで及ぶものである。
【００２６】
図１は、本発明を適用した携帯端末用プログラムを備える端末装置の実施の形態例に係る構成図である。図１に示す利用情報提供プログラム１２１が本発明を適用した携帯端末用プログラムである。当該プログラムにより、携帯端末１は、周辺に位置する電子機器２（２Ａ、２Ｂ）の機種ＩＤ（識別情報）を取得し、当該情報から検索キーワード（検索情報）を生成してインターネット上の検索サイト４（４ａ、４ｂ）から電子機器２に関する利用情報を取得し、当該情報を所定の順番でユーザーへ表示する、処理を実行する。これにより、ユーザーは、携帯端末１と連携して使用する電子機器２の利用情報を容易に入手することができ、電子機器２に関連するアプリケーションのダウンロードや電子機器２の消耗品の購入などを煩雑な操作なしに行うことができるようになる。
【００２７】
図１に示すように、携帯端末１とその周辺に位置し端末装置１と連携して利用する電子機器２を本実施の形態例では電子機器連携システム１００と称する。
【００２８】
携帯端末１は、本実施の形態例ではスマートフォンであり、図１に示すような機能構成を備えている。なお、携帯端末１のハードウェア構成は従前のものと同様である。
【００２９】
制御部１１は、携帯端末１の各部の動作を制御する部分であり、ＣＰＵ、ＲＡＭ、ＲＯＭ等を備えている。ＲＯＭには携帯端末１の基本機能を司る基本プログラムが格納され、ＣＰＵが当該プログラム及び後述する記憶部に格納されるプログラム（アプリケーションプログラム）に従って動作することにより、当該制御部１１の処理が実行される。
【００３０】
記憶部１２は、主にアプリケーションソフトウェアを格納する部分であり、各種メモリやハードディスクドライブＨＤＤで構成することができる。図１には、本記憶部１２に記憶されるソフトウェアとして、本発明に関連するプログラムとデータのみを表示している。
【００３１】
利用情報提供プログラム１２１は、上述の通り、本携帯端末１の特徴である利用情報提供処理を司るアプリケーションであり、事前に所定のインターネット３上のサイト（例えば、後述するアプリケーション提供サイト４ａ）からダウンロードして記憶部１２にインストールされる。当該プログラムによる具体的な処理の内容については後述する。
【００３２】
変換テーブル１２２は、電子機器２の機種ＩＤを検索キーワードに変換するためのテーブルである。検索キーワードとは、後述する検索サイト４で所望の利用情報を検索する際に当該サイトに設けられた検索システムに入力される情報であり、検索システムは、当該情報に基づいて関連する利用情報を検索する。具体的には、電子機器の機種ＩＤに対して、その電子機器の一般名称、メーカー名、機種番号、技術分野、利用分野、消耗品名等の関連語彙が対応付けられている。例えば、電子機器２がプリンター（２Ａ）である場合には、プリンター、○○社、印刷、作図、写真、インク、印刷用紙等の語彙が検索キーワードとして変換テーブル１２２に収められている。また、電子機器２がプロジェクター（２Ｂ）である場合には、プロジェクター、××社、映写、３Ｄ、ゲーム、投影スクリーン等の語彙が検索キーワードとして変換テーブル１２２に収められている。なお、変換テーブル１２２は、事前に上記利用情報提供プログラム１２１と共にダウンロードされて記憶部１２にインストールされる。
【００３３】
実績情報１２３は、これまでに、携帯端末１にダウンロードされたアプリケーションや携帯端末１からアクセスされたＵＲＬの情報であり、分野別にダウンロード又はアクセスの累計回数が収められている。
【００３４】
次に、近距離通信部１３は、いわゆるＮＦＣ（Ｎｅａｒ  Ｆｉｅｌｄ  Ｃｏｍｍｕｎｉｃａｔｉｏｎ）、すなわち近距離無線通信を行う部分である。具体的な通信方式は従前のものを用いることができる。本携帯端末１では、周辺の電子機器２からその機種ＩＤを取得するために近距離通信部１３が用いられる。
【００３５】
撮影部１４は、スマートフォンのカメラ機能を司る部分であり、静止画や動画の撮影を行う。
【００３６】
表示部１５は、ユーザーに画像や文字を表示する部分であり、電子機器２の利用情報もここに表示される。
【００３７】
操作部１６は、ユーザーが携帯端末１に対する操作を行う部分である。例えば、携帯端末１が、タッチパネルを備えたスマートフォンである場合、上記表示部１５に操作するエリアが表示されることによって操作部１６が形成される。
【００３８】
また、音声処理部１７は、電話通話時に、後述する無線通信部１８からの音声データを処理して放音すると共にユーザーの音声を集音して音声データに変換し無線通信部１８へ送信する部分である。
【００３９】
無線通信部１８は、通話時及びインターネット３とのデータ通信時に無線通信を行う部分であり、電子機器２の利用情報をユーザーに提供する際に、上述した検索キーワードをここから検索サイト４へ送信し、検索サイト４における検索結果をここで受信する。
【００４０】
次に、電子機器２は、携帯端末１の周辺に存在するプリンター（２Ａ）、プロジェクター（２Ｂ）等の一般的な電子機器であるが、各電子機器２には、自らの機種ＩＤ（識別情報）を提供する機能（ＩＤ提供部、図示せず）が備えられている。当該機能は、携帯端末１の近距離通信部１３と通信をして機種ＩＤ情報を渡す無線タグとして構成することができる。
【００４１】
次に、検索サイト４は、インターネット３上の一般に公開された誰でもが利用可能なサイトであり、スマートフォン用のアプリケーションを提供するアプリケーション提供サイト４ａや情報の所在を検索して提供するＵＲＬ検索サイト４ｂなどがある。これらは、インターネット上のプロバイダーや情報サービス会社等が運営するものであり、従来から広く用いられているものである。
【００４２】
アプリケーション提供サイト４ａには、入力される検索キーワードに対して関連するアプリケーションの情報をスマートフォンに提供し、スマートフォンからの要求に応じてアプリケーションを送信するシステムが備えられる。また、ＵＲＬ検索サイト４ｂには、スマートフォンなどの端末装置から入力される検索キーワードに対して、関連する情報が存在するＵＲＬを検索しその情報を端末装置に返信するシステムが備えられる。
【００４３】
以上説明したような構成を有する本実施の形態例における電子機器連携システム１００では、上述の通り、電子機器に関する利用情報の提供処理に特徴があり、以下、その具体的な処理手順について説明する。
【００４４】
図２は、利用情報の提供処理の手順を例示したフローチャートである。ここでは、スマートフォンである携帯端末１のユーザーが電子機器２に関するアプリケーションなどの情報を得ようとする場合を想定している。なお、図２は、利用情報提供プログラム１２１による制御部１１の処理として記述している。
【００４５】
まず、ユーザーは、端末装置への所定の操作により利用情報提供プログラム１２１を起動させる。端末装置に当該起動操作が入力されると（ステップＳ１）、利用情報提供プログラム１２１によるアプリケーションが起動し、制御部１１は近傍に存在する電子機器２の機種ＩＤ情報を取得する指示を近距離通信部１３に出す。
【００４６】
ユーザーは、上記起動操作後、利用情報を得ようとする電子機器２に携帯端末１を近付ける。この動作により、近距離通信部１３は当該電子機器２の上記ＩＤ提供部と近距離無線通信を行い、当該電子機器２の機種ＩＤ情報を取得する。取得された機種ＩＤ情報は制御部１１に渡される（ステップＳ２）。
【００４７】
次に、制御部１１は、変換テーブル１２２にアクセスし、変換テーブル１２２において上記取得した機種ＩＤ情報に対応して収められている検索キーワードを取得して、機種ＩＤ情報を検索キーワードに変換する（ステップＳ３）。
【００４８】
その後、制御部１１は、当該取得した検索キーワードの情報を検索サイト４に送信する指示を無線通信部１８に出し、当該指示に従って無線通信部１８から上記検索キーワードの情報がインターネット３を介して検索サイト４へ送信され、検索の要求がなされる（ステップＳ４）。なお、検索要求がなされるサイトは、利用情報提供プログラム１２１によるアプリケーションに対して予め設定しておくことができ、ここでは、アプリケーション提供サイト４ａとＵＲＬ検査サイト４ｂの両方に検索要求がなされる設定であるものとする。
【００４９】
当該検索要求では、例えば、携帯端末１を近付けた電子機器２がプリンター（２Ａ）であった場合には、検索キーワードがプリンター、印刷、インク、印刷用紙などであり、これらのキーワードに関連するアプリケーション及び情報の検索が要求される。
【００５０】
このようにして検索サイト４への検索要求がなされると、検索サイト４では検索処理を実行し、検索結果を携帯端末１へ返信する。アプリケーション提供サイト４ａからは上記検索キーワードに関連するアプリケーションの情報が所定のルールによって順位付けられて送信される。当該順位付けは、例えば、検索キーワードとの関連性の強さや過去のインストール数に基づいて行われる。また、検索されたアプリケーションが属する分野の情報（分類情報）等を合わせて送信するようにしてもよい。また、ＵＲＬ検索サイト４ｂからは上記検索キーワードに関連する情報が存在するＵＲＬの情報が同様に順位付けされて返信される。
【００５１】
検索キーワードが上述したようなプリンターに関するものである場合には、アプリケーションに関する検索結果は、電子機器２（プリンター）用のドライバー、写真の編集アプリケーション、年賀状等の作成アプリケーションなどの情報であり、ＵＲＬに関する検索結果は、電子機器２（プリンター）の取扱説明を提供するＵＲＬ、そのメーカーのホームページのＵＲＬ、そのプリンターに使用されるインクが販売されているＵＲＬ等の情報である。
【００５２】
検索結果は、無線通信部１８を介して制御部１１で受信される（ステップＳ５）。その後、制御部１は、受診した検索結果、すなわち、電子機器２の利用情報をユーザーに表示する順番を決定する（ステップＳ６）。
【００５３】
当該表示順番の決定処理は、検索結果の利用情報が２以上ある場合に行われ、いくつかの方法で行うことができる。一つの方法は、検索サイト４から送信された利用情報の順位のままとする方法である。上述した検索サイト４における順位付けは一般的に意味のあるものであるので、この方法ではその順位がそのまま利用される。
【００５４】
また、別法としては、当該携帯端末１におけるアプリケーションのインストール実績及びＵＲＬへのアクセス実績に基づいて表示順番を決定することができる。この場合、制御部１１は、受信した利用情報毎に、その分野を判別し、その分野におけるアプリケーションのインストール回数とＵＲＬへのアクセス回数の少なくとも一方を、記憶部１２に格納される上述した実績情報１２３から取得する。そして、その回数が多い順に表示するように表示順番を決定する。なお、各利用情報の分野の判別は、検索サイト４から検索結果と共に送られてくる情報を用いて行ってもよいし、制御部１１が利用情報の内容を解釈して行ってもよい。
【００５５】
また、制御部１１は、実績情報１２３から本携帯端末１に既にインストールされているアプリケーションを把握し、受信した利用情報に当該アプリケーションの情報が含まれていれば、それを省いて表示を行うようにすることができる。
【００５６】
このようにして利用情報の表示順番が決定されると、制御部１１は、その順番に従って上記受信した利用情報をユーザーへ表示する（ステップＳ７）。例えば、上記順番のいわゆるリスト表示を行い、１画面で表示しきれない場合には画面（ページ）を切り替えて表示する。具体的には、表示部１５に利用情報の表示指示を行い、当該指示に従って表示部１５が表示する。
【００５７】
当該表示では、例えば、電子機器（プリンター）２Ａに関連するアプリケーションの名称や機能説明が上記順番で表示されると共に、選択することによってダウンロードが可能である操作エリア等を表示する。また、利用情報がＵＲＬ情報である場合には、それらが上記順番で表示され、ＵＲＬ情報を選択することにより、そのＵＲＬへアクセス可能であることが示される。
【００５８】
以上のようにして、本電子機器連携システム１００による利用情報の提供処理がなされる。
【００５９】
ユーザーは、携帯端末１に表示された利用情報から所望のアプリケーション及び又はＵＲＬを選択し、アプリケーションである場合には、上記ダウンロード用の操作エリアを操作してそのアプリケーションを携帯端末にダウンロードし、ＵＲＬ情報である場合には、その情報を選択してそのＵＲＬにアクセスする。
【００６０】
上記アプリケーションのダウンロードが操作された場合には、制御部１１は、アプリケーション提供サイト４ａにアクセスして選択されたアプリケーションを記憶部１２にダウンロードする。ＵＲＬ情報が操作された場合には、制御部１１は、そのＵＲＬにアクセスしそこに示される情報を表示部１５に表示する。
【００６１】
その後、ユーザーは、インストールされたアプリケーションを利用し、また、表示されたＵＲＬの情報を参照する。
【００６２】
なお、上述の実施形態では、電子機器情報（機種ＩＤ）の取得（Ｓ２）において、近距離無線通信を用いたが、対象とする電子機器２が備えるバーコード情報（機種ＩＤ情報を含む）からその機種ＩＤを取得するようにしてもよい。図３は、その取得方法を例示した図である。
【００６３】
図３の（ａ）に示す場合は、電子機器２（図ではプリンター２Ａ）の筐体に記された上記バーコードをユーザーが携帯端末１の撮影部１４で撮影し、制御部１１が撮影されたバーコード画像を解釈して当該電子機器２の機種ＩＤを取得する。
【００６４】
図３の（ｂ）に示す場合は、電子機器２（図ではプリンター２Ａ）がユーザー操作によって上記バーコードを用紙に印刷出力し、そのバーコードをユーザーが携帯端末１の撮影部１４で撮影し、制御部１１が撮影されたバーコード画像を解釈して当該電子機器２の機種ＩＤを取得する。この場合にはプリンター２Ａに上記バーコードを印刷する機能が予め備えられ、当該印刷を実行するための操作メニューが用意される。
【００６５】
図３の（ｃ）に示す場合は、電子機器２（図ではプロジェクター２Ｂ）がユーザー操作によって上記バーコードを映写し、そのバーコードをユーザーが携帯端末１の撮影部１４で撮影し、制御部１１が撮影されたバーコード画像を解釈して当該電子機器２の機種ＩＤを取得する。この場合にはプロジェクター２Ｂに上記バーコードを映写する機能が予め備えられ、当該映写を実行するための操作メニューが用意される。
【００６６】
なお、このようにバーコード情報から機種ＩＤを取得する場合には、利用情報提供プログラム１２１を起動後、当該プログラム（制御部１１）により、バーコードを撮影すべきメッセージが表示部１５に表示され、撮影機能（カメラ機能）が起動される。
【００６７】
また、上記実施形態では、携帯端末１が電子機器２から機種ＩＤを取得したが、これに伴って電子機器２のステータス情報など付加情報も取得するようにしてもよい。この付加情報（ステータス情報）には、電子機器２の消耗品の状態、動作状態、エラー情報などが含まれる。この場合には、変換テーブル１２２に、各付加情報に対する検索キーワードも格納されており、当該付加情報を取得した携帯端末１の制御部１１は、機種ＩＤ及び各付加情報から、変換テーブル１２２を用いて検索キーワードを生成する。
【００６８】
例えば、プリンター２Ａからインク不足であるステータス情報を付加情報として取得した場合には、インク販売という検索キーワードが生成される。この場合には、結果として当該プリンター用のインクを販売しているＵＲＬ情報等が提供されることになる。また、プリンター２Ａからエラー情報を付加情報として取得した場合には、エラー解除という検索キーワードが生成されて、結果として、当該プリンターのエラー解除情報が示されるＵＲＬ情報が提供されることになる。
【００６９】
なお、この場合には、電子機器２の制御部に、携帯端末１からの要求に応答して上記付加情報を返信する手段を設ける。
【００７０】
また、上記実施形態では、携帯端末１内に変換テーブル１２２を備えていたが、通信可能なサーバーシステムを設けて、そこに変換テーブル１２２を備え、各携帯端末１は、検索キーワードへの変換が必要な際に、当該サーバーシステムにアクセスして検索キーワードを取得するようにしてもよい。
【００７１】
また、上記実施形態では、１つの電子機器２からその機種ＩＤを取得したが、複数の電子機器２から機種ＩＤを取得するようにしてもよい。すなわち、利用情報の提供を複数の電子機器２について一緒に行うようにしてもよい。この場合にも、上述のように、付加情報を合わせて取得するようにすることができる。取得後は、同様に、検索キーワードへの変換、利用情報の取得がなされる。この場合には、機種ＩＤを取得した全ての電子機器２に関連する情報が優先して得られ、例えば、電子機器がプリンター２Ａとプロジェクター２Ｂである場合には、両電子機器２に関連するプレゼンテーション用のアプリケーションの情報が優先して提供される。
【００７２】
以上説明したように本実施の形態例における電子機器連携システム１００では、ユーザーは、携帯端末１を電子機器２に近づける等の簡単な操作で、その電子機器２に関連するアプリケーションなどの利用情報を得ることができる。従って、携帯端末１及び電子機器２の多彩な利用が促進され、ユーザーの利便性が向上すると共に、機器メーカーに対する需要拡大が期待できる。
【００７３】
また、電子機器２のステータス情報を取得してそれに関連する利用情報を提供することで、当該情報提供機能を、電子機器２の導入時だけでなく、メンテナンスにも利用できる。
【００７４】
また、提供される利用情報の表示が、その携帯端末１の利用実績に基づいて行われるので、その携帯端末１のユーザー嗜好に即した情報提供が可能である。
【００７５】
また、上述の通り、２以上の電子機器２について情報提供を得られるので、この点でもユーザー利便性が向上され、電子機器２の利用が促進される。
【００７６】
なお、上記実施の形態例では、携帯端末１がスマートフォンであったが、同等の機能を備える端末装置に置き換えることもできる。
【符号の説明】
【００７７】
１  携帯端末、  ２（２Ａ、２Ｂ）  電子機器、  ３  インターネット、  ４（４ａ、４ｂ）  検索サイト、  １１  制御部（制御装置）、  １２  記憶部、  １３  近距離通信部、  １４  撮影部、  １５  表示部、  １６  操作部、  １７  音声処理部、  １８  無線通信部、  １２１  利用情報提供プログラム、  １２２  変換テーブル、  １２３  実績情報
【図１】
2013149214.tif 000003
【図２】
2013149214.tif 000004
【図３】
2013149214.tif 000005